(57)【要約】【課題】運搬が容易で、施工性も良好であり、外観性も優れた幅木を形成できる建築資材を提供する。【解決手段】建物の壁材Ｗと床材Ｆとの境界部分に施工される幅木３０を形成するための建築資材であって、横断面形状が多角形状をなし、背面１１を壁材Ｗに向けた状態で壁材Ｗと床材Ｆとの境界部分に取り付けられる下地材１０と、下地材１０の背面１１の段差部１４と壁材Ｗとの隙間から下地材１０の上面１２及び正面１３に至る領域を覆うように折り曲げて固着される帯板状の化粧材２０と、を備え、化粧材２０は、その長手方向を周方向とするロール形状に巻回可能な可撓性を有する。【選択図】図６
2020026635.tif 000002
【特許請求の範囲】
【請求項１】
建物の壁材と床材との境界部分に施工される幅木を形成するための建築資材であって、
横断面形状が多角形状をなし、背面を前記壁材に向けた状態で前記壁材と前記床材との境界部分に取り付けられる下地材と、
前記下地材の背面と前記壁材との隙間から前記下地材の上面及び正面に至る領域を覆うように折り曲げて固着される帯板状の化粧材と、を備え、
前記化粧材が、その長手方向を周方向とするロール形状に巻回可能な可撓性を有する建築資材。
【請求項２】
前記下地材の背面と上面との境界部分に前記下地材の正面に向かって凹んだ段差部を有する請求項１記載の建築資材。
【請求項３】
前記化粧材の裏面に、前記化粧材の長手方向と平行な折り曲げ用の凹溝を備えた請求項１または２記載の建築資材。
【請求項４】
前記化粧材が、ＡＢＳ樹脂製の基材と、前記基材の表面に貼着されたポリオレフィン樹脂製若しくはポリ塩化ビニル樹脂製の表装材と、を備えた請求項１〜３の何れかの項に記載の建築資材。
【請求項５】
前記下地材が、発泡合成樹脂若しくは木質繊維を原料とする成型材である請求項１〜４の何れかの項に記載の建築資材。
【発明の詳細な説明】
【技術分野】
【０００１】
本発明は、建物の壁材と床材との境界部分に施工される幅木を形成するための建築資材に関する。
【背景技術】
【０００２】
幅木の施工に使用される建築資材は、その長さが３．６ｍ〜４．０ｍの長尺材が主流であるため、施工現場までの運搬には大型車両が必要であり、車両への積み込みや積み下ろし、並びに、作業現場までの運び込みなどに多大な手間を要している。特に、近年は、物流状況が悪化し、長尺材の運搬そのものが極めて困難となっている。また、従来の幅木は、その長さに限度があり、継ぎ足し施工となるため、外観性に劣るという問題がある。
【０００３】
一方、本発明に関連する従来技術として、特許文献１に記載された「幅木」あるいは特許文献２に記載された「巾木」などがある。
【０００４】
特許文献１に記載された「幅木」は、床面と壁面の納り部分で壁面下部に沿って取付けられる長尺状の幅木において、可撓性を有する表面部材と、表面部材の裏面に形成される厚肉の下地部材とを備え、下地部材は、少なくとも裏面側に長さ方向所定間隔で曲折用の切込みを有することを特徴とするものである。
【０００５】
特許文献２に記載された「巾木」は、壁と床材との間に取り付けられる板状の本体と，その本体の外観部分に貼り付けられ、壁側とは逆側の下端部分が本体の下端縁を超えて床材側に延長された化粧シートとからなり、延長された下端部分の下縁が、床材に接して壁と床材間に生じる隙間を外側から覆い、床材のうねりに追随して壁面に垂直な前後方向に弾性変形可能であることを特徴とするものである。
【先行技術文献】
【特許文献】
【０００６】
【特許文献１】実開平４−１０５３６０号公報
【特許文献２】特開平１１−３２４３００号公報
【発明の概要】
【発明が解決しようとする課題】
【０００７】
特許文献１に記載された「幅木」は、表面部材を内側にして切込み部分で下地部材を曲折させれば、ロール状に巻き込むことができるので、運搬が容易であるが、施工後、下地部材の上面に切込み部分が現れるので、外観性が悪い。また、前記「幅木」は、可撓性を有する表面部材の裏面に一体的に形成された厚肉の下地部材に複数の切込みを設けた形状であるため、ロール状に巻き込んだとき、嵩が増してしまい、運搬の効率が悪い。
【０００８】
特許文献２に記載された「巾木」は、床材のうねりに起因する、床材との隙間を解消することができるが、全体的に長尺の部材であるため、運搬が困難である。
【０００９】
そこで、本発明が解決しようとする課題は、運搬が容易で、施工性も良好であり、外観性も優れた幅木を形成できる建築資材を提供することにある。
【課題を解決するための手段】
【００１０】
本発明に係る建築資材は、
建物の壁材と床材との境界部分に施工される幅木を形成するための建築資材であって、
横断面形状が多角形状をなし、背面を前記壁材に向けた状態で前記壁材と前記床材との境界部分に取り付けられる下地材と、
前記下地材の背面と前記壁材との隙間から前記下地材の上面及び正面に至る領域を覆うように折り曲げて固着される帯板状の化粧材と、を備え、
前記化粧材が、その長手方向を周方向とするロール形状に巻回可能な可撓性を有することを特徴とする。
【００１１】
前記建築資材においては、前記下地材の背面と上面との境界部分に前記下地材の正面に向かって凹んだ段差部を設けることが望ましい。
【００１２】
前記建築資材においては、前記化粧材の裏面に、前記化粧材の長手方向と平行な折り曲げ用の凹溝を設けることが望ましい。
【００１３】
前記建築資材においては、前記化粧材が、ＡＢＳ樹脂製の基材と、前記基材の表面に貼着されたポリオレフィン樹脂製若しくはポリ塩化ビニル樹脂製の表装材と、を備えたものであることが望ましい。
【００１４】
ここで、ＡＢＳ樹脂とは、アクリロニトリル（Ａｃｒｙｌｏｎｉｔｒｉｌｅ）、ブタジエン（Ｂｕｔａｄｅｎｅ）、スチレン（Ｓｔｙｒｅｎｅ）共重合合成樹脂の総称である。また、ポリオレフィン樹脂とは、単純なオレフィン類やアルケンをモノマー（単位分子）として合成されるポリマー（高分子）の総称であり、例えば、ポリエチレン、ポリプロピレンなどがある。ポリエチレンはエチレンを重合させて得られるポリオレフィンであり、ポリプロピレンはプロピレンを重合させて得られるポリオレフィンである。また、ポリ塩化ビニル樹脂とは、塩化ビニル（クロロエチレン）を重合して得られる合成樹脂である。
【００１５】
前記建築資材においては、前記下地材が、発泡合成樹脂若しくは木質繊維を原料とする成型材であることが望ましい。
【００１６】
ここで、発泡合成樹脂としては、発泡ポリスチレン樹脂や発泡ポリウレタン樹脂などが好適であり、木質繊維を原料とする成型材としては、ＭＤＦ（Ｍｅｄｉｕｍ  Ｄｅｎｓｉｔｙ  Ｆｉｂｅｒｂｏａｄ）と略称される中密度繊維板などが好適である。
【発明の効果】
【００１７】
本発明により、運搬が容易で、施工性も良好であり、外観性も優れた幅木を形成できる建築資材を提供することができる。
【図面の簡単な説明】
【００１８】
【図１】本発明の実施形態である建築資材を構成する下地材を示す一部省略斜視図である。
【図２】本発明の実施形態である建築資材を構成する化粧材を示す一部省略斜視図である。
【図３】図２に示す化粧材をロール形状に巻回した状態を示す図である。
【図４】図１に示す建築資材及び図２に示す化粧材を用いて幅木を形成する過程を示す図である。
【図５】図１に示す建築資材及び図２に示す化粧材を用いて幅木を形成する過程を示す図である。
【図６】図１に示す建築資材及び図２に示す化粧材を用いて幅木を形成する過程を示す図である。
【発明を実施するための形態】
【００１９】
以下、図１〜図８に基いて、本発明の実施形態である建築資材について説明する。
【００２０】
本実施形態に係る建築資材は、図１に示す下地材１０と、図２に示す化粧材２０と、を備え、図６に示すように、建物（図示せず）の壁材Ｗと床材Ｆとの境界部分に施工される幅木３０を形成するための建築資材である。
【００２１】
図１，図６に示すように、下地材１０は横断面形状が多角形状をなし、背面１１を壁材Ｗに向けた状態で、壁材Ｗの表面Ｗ１と、床材Ｆの表面Ｆ１との境界部分に取り付けられる帯板状の部材である。図１に示すように、下地材１０の背面１１と上面１２との境界部分に下地材１０の正面１３に近づく方向へ凹むように変位した段差部１４が設けられている。下地材１０は、発泡合成樹脂製の成型材であるが、これに限定するものではなく、木質繊維を原料とする成型材であるＭＤＦ（中密度繊維板）などを使用することもできる。
【００２２】
図２，図６に示すように、化粧材２０は、下地材１０の背面１１側の段差部１４と壁材Ｗとの隙間から下地材１０の上面１２及び正面１３に至る領域を覆うように折り曲げて固着される帯板状の部材である。
【００２３】
化粧材２０は、ＡＢＳ樹脂製の基材２１と、基材２１の表面に貼着されたポリオレフィン樹脂製の表装材２２と、を備えている。化粧材２０の裏面には、化粧材２０の長手方向と平行をなす２列の折り曲げ用の凹溝２３，２４が設けられている。化粧材２０の裏面において、２列の凹溝２３，２４で挟まれた平面領域２６以外の平面領域２５，２７にはそれぞれ両面粘着テープ２８，２９が貼着されている。凹溝２３，２４の横断面形状はＶ字形状であるが、これに限定するものではない。また、表装材２２はポリオレフィン樹脂製であるが、これに限定するものではなく、ポリ塩化ビニル樹脂製とすることもできる。
【００２４】
図１に示す下地材１は、小型の運搬車両に積載可能な長さにカットして施工現場まで運搬することができるので、運搬が容易である。また、後述する図６に示すように、幅木３０を形成した場合、下地材１同士の長手方向の継ぎ目は化粧材２０によって被覆され、外観に現れないので、カットした下地材１を接続することに支障はない。
【００２５】
また、図２に示す化粧材２０は可撓性を有し、図３に示すように、その長手方向を周方向とするロール形状に巻回可能であるため、施工現場までの運搬の際に大型の運搬車両を必要とせず、運搬が容易である。
【００２６】
次に、図４〜図６に基づいて、本実施形態に係る建築資材（下地材１０及び化粧材２０）を使用した幅木３０の施工方法について説明する。
【００２７】
図４に示すように、施工現場まで搬入し、適切な長さにカットした下地材１０を、その底面１５を壁材Ｗの表面Ｗ１に対向させるとともに、その正面１３を床面Ｆに接触させた状態で壁材Ｆと床材Ｗとの境界近傍に載置する。この後、下地材１０の長さに対応した適切な長さに化粧材２０をカットし、化粧材２０の裏面の平面領域２５に貼着された両面粘着テープ２８の剥離紙２８ａを剥がし、両面粘着テープ２８の粘着面２８ｂを、段差部１４の変位面１４ａ（下地材１０の背面１１より正面１３寄りに位置する面）に貼着する。
【００２８】
次に、図４に示す矢印Ａ１方向に沿って下地材１０を壁材Ｗに向かって起立させることにより、図５に示すように、下地材１０の底面１５を床材Ｆの表面Ｆ１に当接させるとともに、下地材１０の背面１１を壁材Ｗの表面Ｗ１に密着させた後、下地材１０の正面１３から壁材Ｗに向かってフィニッシュ釘Ｎを打ち込み、下地材１０を壁材Ｗに固定する。
【００２９】
次に、図５に示すように、化粧材２０の裏面の平面領域２７に貼着された両面粘着テープ２９の剥離紙（図示せず）を剥がし、両面粘着テープ２９の粘着面２９ｂを露出させた後、化粧材２０の平面領域２７の部分を矢印Ａ２方向に傾動させると、凹溝２３，２４の部分を内側にして、化粧材２０の表装材２２が、凹溝２３，２４の部分にて、それぞれ９０度折れ曲がり、図６に示すように、化粧材２０の裏面の平面領域２６が下地材１０の上面１２に密着するとともに、両面粘着テープ２９が下地材１０の正面１３に貼着される。
【００３０】
これにより、化粧材２０は、下地材１０の背面１１の段差部１４と壁材Ｗの表面Ｗ１との隙間から下地材１０の上面１２及び正面１３に至る領域を覆うように固着され、幅木３０の施工が完了する。
【００３１】
図４〜図６に示すように、下地材１０の段差部１４に化粧材２０の裏面の平面領域２５を粘着テープ２８で貼着し、下地材１０を起立させてフィニッシュ釘Ｎで壁材Ｗに固定した後、化粧材２０を折り曲げ、化粧材２０の裏面の平面領域２７を粘着テープ２９で貼着するだけで幅木３０を形成することができるので、施工性は良好である。また、下地材１０の長手方向に継ぎ目があっても、外から見えないように化粧材２０で覆うことができるので、外観性も優れている。
【００３２】
なお、図１〜図６に基づいて説明した建築資材は、本発明に係る建築資材の一例を示すものであり、本発明に係る建築資材は前述した建築資材に限定されない。
【産業上の利用可能性】
【００３３】
本発明に係る建築資材は、戸建て住宅、集合住宅あるいはその他の各種建築物において幅木を形成するための建築資材として広く利用することができる。
【符号の説明】
【００３４】
１０  下地材
１１  背面
１２  上面
１３  正面
１４  段差部
１４ａ  変位面
１５  底面
２０  化粧材
２１  基材
２２  表装材
２３，２４  凹溝
２５，２６，２７  平面領域
２８，２９  両面粘着テープ
２８ａ  剥離紙
２８ｂ，２９ｂ  粘着面
３０  幅木
Ｆ  床材
Ｆ１，Ｗ１  表面
Ｎ  フィニッシュ釘
Ｗ  壁材
【図１】
2020026635.tif 000003
【図２】
2020026635.tif 000004
【図３】
2020026635.tif 000005
【図４】
2020026635.tif 000006
【図５】
2020026635.tif 000007
【図６】
2020026635.tif 000008